(57)【要約】【課題】  動圧軸受装置にとって重要な３箇所の品質を容易かつ確実に確保することを可能とする。【解決手段】  プラズマ照射を動圧軸受部材１３の適宜の一箇所に行うことによって動圧軸受部材１３の各表面に付着した有機汚染物質を良好に清浄化し、毛細管シール部ＲＳを構成している内壁面の清浄性を維持し、清浄化したプラズマ処理表面からなるシール外表面ＲＳ１に対する撥油膜の密着性を高め、さらに清浄化したプラズマ処理表面からなる動圧軸受部材の接合面１３ｂに対して接着剤を極めて良好に充填するように構成したもの。【選択図】     図１
2005344785.tif 000002
【特許請求の範囲】
【請求項１】
固定部材または回転部材からなる他の部材との接合面を有する動圧軸受部材に対して相対回転可能に軸部材が装着されているとともに、それら動圧軸受部材と軸部材との対向隙間に形成された動圧軸受部を含む軸受空間内に潤滑流体が充填され、その潤滑流体に対する動圧発生手段の加圧作用により生成される動圧力を利用して前記動圧軸受部材と軸部材とを非接触で回転支持させる構成になされたものであって、
前記動圧軸受部材に、前記潤滑流体の外部漏出を防止する毛細管シール部が設けられているとともに、
その毛細管シール部の開口部に対して半径方向外方側または内方側に配置されたシール外表面に対して撥油処理が施された動圧軸受装置において、
前記動圧軸受部材の表面における適宜の一箇所にプラズマ処理が施されていることによって、少なくとも前記毛細管シール部の内表面、前記シール外表面、および前記他の部材との前記接合面に、プラズマ処理表面が設けられていることを特徴とする動圧軸受装置。
【請求項２】
前記動圧軸受部材が金属材から形成されたものであって、
前記プラズマ処理表面が、前記動圧軸受部材の表面におけるプラズマ洗浄表面であることを特徴とする請求項１記載の動圧軸受装置。
【請求項３】
前記動圧軸受部材が樹脂材から形成されたものであって、
前記プラズマ処理表面が、前記動圧軸受部材の表面におけるプラズマ凹凸表面であることを特徴とする請求項１記載の動圧軸受装置。
【請求項４】
前記動圧軸受部材のシール外表面に対するプラズマ処理表面に、撥油処理が施されていることを特徴とする請求項１記載の動圧軸受装置。
【請求項５】
前記動圧軸受部材の接合面に対するプラズマ処理表面に、接合用の接着剤が用いられていることを特徴とする請求項１記載の動圧軸受装置。
【請求項６】
固定部材または回転部材からなる他の部材との接合面を有する動圧軸受部材に対して相対回転可能に軸部材を装着し、それら動圧軸受部材と軸部材との対向隙間に形成した動圧軸受部を含む軸受空間内に潤滑流体を充填し、その潤滑流体に対して動圧発生手段の加圧作用により生成される動圧力を利用して前記動圧軸受部材と軸部材とを非接触で回転支持させるように動圧軸受装置を製造する方法であって、
前記動圧軸受部材に、前記潤滑流体の外部漏出を防止する毛細管シール部を設けるとともに、その毛細管シール部の開口部に対して半径方向外方側または内方側に配置されたシール外表面に対して撥油処理を施すようにした動圧軸受装置の製造方法において、
前記動圧軸受部材の表面における適宜の一箇所にプラズマを照射することによって、少なくとも前記毛細管シール部の内表面、前記シール外表面、および前記他の部材との前記接合面に、プラズマ処理表面を形成した後、その動圧軸受部材の組み立てを行うようにしたことを特徴とする動圧軸受装置の製造方法。
【請求項７】
前記動圧軸受部材を金属材から形成し、
前記プラズマ処理表面を、前記動圧軸受部材の表面おけるプラズマ洗浄表面として形成するようにしたことを特徴とする請求項６記載の動圧軸受装置の製造方法。
【請求項８】
前記動圧軸受部材を樹脂材から形成し、
前記プラズマ処理表面を、前記動圧軸受部材の表面おけるプラズマ凹凸表面として形成するようにしたことを特徴とする請求項６記載の動圧軸受装置の製造方法。
【請求項９】
前記動圧軸受部材のシール外表面に対してプラズマ処理を施した後、当該動圧軸受部材のシール外表面に適宜の撥油処理を施すようにしたことを特徴とする請求項６記載の動圧軸受装置の製造方法。
【請求項１０】
前記動圧軸受部材の接合面に対してプラズマ処理を施した後、当該動圧軸受部材の接合を適宜の接着剤を用いて行うようにしたことを特徴とする請求項６記載の動圧軸受装置の製造方法。
【請求項１１】
請求項１ないし請求項５までのいずれかに記載された動圧軸受装置、または請求項６ないし請求項１０までのいずれかに記載された動圧軸受装置の製造方法により製造された動圧軸受装置を備えたことを特徴とするモータ。
【請求項１２】
請求項１１に記載のモータと、そのモータのロータに搭載された情報記録ディスクと、その情報記録ディスクに対して情報を記録または再生する記録ヘッドとを含むことを特徴とするディスク駆動装置。
【発明の詳細な説明】
【技術分野】
【０００１】
本発明は、動圧軸受部材と軸部材とが動圧軸受部内の潤滑流体の動圧力により非接触で回転支持される構成になされた動圧軸受装置およびその製造方法、ならびにモータおよびディスク駆動装置に関する。
【背景技術】
【０００２】
近年、各種回転体を高速回転下で安定して支持することができるようにした動圧軸受装置の開発が進められているが、例えば本発明の実施形態である図１に示されている動圧軸受装置を備えたＨＤＤ用スピンドルモータでは、固定部材としてのベースフレーム１１の略中央部分に設けられた軸受保持ホルダー１２の内周側接合面に対して、略円筒状の動圧軸受部材（軸受スリーブ）１３の外周側接合面が、圧入接着や隙間嵌め接着により軸方向に挿通されて接合されている。そして、上記動圧軸受部材１３と、その動圧軸受部材１３内に回転可能に挿通された回転軸２１との半径方向および軸方向の各対向隙間からなる軸受空間によって、ラジアル動圧軸受部ＲＢおよびスラスト動圧軸受部ＳＢがそれぞれ形成されており、それらラジアル動圧軸受部ＲＢおよびスラスト動圧軸受部ＳＢ内に充填されたオイル等の潤滑流体の動圧力によって上記回転軸２１がラジアル方向およびスラスト方向の双方に相対的に浮上され、非接触で回転支持させる構成になされている。
【０００３】
また、図６に示されているように、上述した動圧軸受部材（軸受スリーブ）１３の軸方向端部に設けられた開口部分には、潤滑流体の毛細管力を利用して外部漏れを防止するテーパ状狭小通路からなる毛細管シール部ＲＳが設けられている。さらに、その毛細管シール部ＲＳの開口部から半径方向に向かって延在するシール外表面ＲＳ１に対しては、適宜の撥油処理が施されており、当該シール外表面ＲＳ１に付着した潤滑流体の濡れ拡散を防止するように構成されている。（以下の引用文献１参照）
【０００４】
ところで、このような構成を備えた動圧軸受装置に対しては、種々の軸受特性や機能が要求されているが、特に軽薄短小化の要請が強くなっている今日においては、
ａ）動圧軸受部材（軸受スリーブ）の接合強度、
ｂ）毛細管シール部のシール機能、
ｃ）シール外表面（撥油処理面）の濡れ拡散防止機能
の３項目を十分に確保しておくことが動圧軸受装置の品質を保持する上で極めて重要となっ来ている。
【０００５】
これらの各点を具体的に説明しておくと、まず上述したａ）のように動圧軸受部材（軸受スリーブ）の接合強度が重要であるのは、動圧軸受装置における種々の接合部分のうち動圧軸受部材と他の部材との接合部分に最も大きな加重が負荷されるからであり、特に、小型化が急速に進むに伴って接合面の面積も縮小されて来ており、その分、接合強度も急速に低下する傾向となってきている。一方、携帯電話などのように落下の危険性を伴うものに使用する場合には、例えば１０００Ｇ以上の高い耐衝撃性能が要求されることもあるからである。
また、ｂ）の毛細管シール部のシール機能が重要であるのは、良好な軸受特性を長期にわたって確保するためには潤滑流体を外部に漏らすことなく良好に保持しておくことが必要であるからであり、特に小型化された装置のように潤滑流体の保持スペースが小さくなるなどによって量的な余裕がない場合には極めて重要である。そして、この毛細管シール部のシール機能を良好に維持するためには、当該毛細管シール部における内壁面を清浄状態に維持しておくことによって、図６中の実線で示したように毛細管シール部ＲＳ内における潤滑流体ＤＦの接触角θを小さく保つことが必要である。図６中の波線で示したように潤滑流体ＤＦの接触角θが大きくなると、毛細管シール部ＲＳの毛細管力が小さくなってしまうからである。
さらに、ｃ）の撥油処理面の濡れ拡散防止機能は、動圧軸受部から外部漏れした潤滑流体をなるべく外方に拡散させることなく維持し、装置内の清浄度を確保するために重要なものであるが、その撥油処理面に被着された撥油膜は、潤滑流体の注入後における拭き取り作業などの際に剥がれ落ちてしまうおそれがあることから、十分な強度をもって密着させておく必要がある。
【０００６】
【特許文献１】特開２００３−１９４０６０
【発明の開示】
【発明が解決しようとする課題】
【０００７】
そこで本発明は、動圧軸受装置にとって重要な３箇所の品質を、容易かつ確実に確保することができるようにした動圧軸受装置およびその製造方法、ならびにモータおよびディスク駆動装置を提供することを目的とする。
【課題を解決するための手段】
【０００８】
上記目的を達成するために本発明の請求項１にかかる動圧軸受装置および請求項６にかかる動圧軸受装置の製造方法では、動圧軸受部材の外表面における適宜の一箇所にプラズマを照射することによって、少なくとも潤滑流体の外部漏出を防止する毛細管シール部の内表面、その毛細管シール部の開口部に対して半径方向外方側または内方側に配置されたシール外表面、および動圧軸受部材における他の部材との接合面に、プラズマ処理表面を形成するようにしている。
【０００９】
このような構成を有する請求項１にかかる動圧軸受装置および請求項６にかかる動圧軸受装置の製造方法によれば、プラズマ照射を動圧軸受部材の適宜の一箇所に行うことによって、プラズマが必要な箇所に回り込んでいき、特に動圧軸受部材の各表面に付着した有機汚染物質が良好に清浄化されることによって、毛細管シール部を構成している内壁面の清浄性が維持されるとともに、清浄化されたプラズマ処理表面からなるシール外表面に対する撥油膜の密着性が高められ、さらに清浄化されたプラズマ処理表面からなる動圧軸受部材の接合面に対して接着剤が極めて良好に充填されるようになっている。
【００１０】
また、本発明の請求項２にかかる動圧軸受装置および請求項７にかかる動圧軸受装置の製造方法では、前記請求項１および請求項６における動圧軸受部材を金属材から形成し、プラズマ処理表面を動圧軸受部材の表面におけるプラズマ洗浄表面として形成するようにしていることから、動圧軸受部材の表面に対する特に清浄性が良好に確保されるようになっている。
【００１１】
また、本発明の請求項３にかかる動圧軸受装置および請求項８にかかる動圧軸受装置の製造方法では、前記請求項１および請求項６における動圧軸受部材を樹脂材から形成し、プラズマ処理表面を動圧軸受部材の表面におけるプラズマ凹凸表面として形成するようにしていることから、動圧軸受部材の表面における撥油剤や接着剤に対するアンカー作用が高められ、それらの密着性が大幅に向上されるようになっている。
【００１２】
また、本発明の請求項４にかかる動圧軸受装置および請求項９にかかる動圧軸受装置の製造方法では、前記請求項１および請求項６における動圧軸受部材のシール外表面に対してプラズマ処理を施し、当該動圧軸受部材のシール外表面に適宜の撥油処理を施すようにしていることから、汚染物をほとんど介在することなく撥油膜が良好に密着されるようになっている。
【００１３】
また、本発明の請求項５にかかる動圧軸受装置および請求項１０にかかる動圧軸受装置の製造方法では、前記請求項１および請求項６における動圧軸受部材の接合面に対してプラズマ処理を施し、当該動圧軸受部材の接合を適宜の接着剤を用いて行うようにしていることから、汚染物をほとんど介在することなく接着剤が良好に密着されるようになっている。
【００１４】
一方、本発明の請求項１１にかかるモータは、請求項１ないし請求項５までのいずれかに記載された動圧軸受装置または請求項６ないし請求項１０までのいずれかに記載された動圧軸受装置の製造方法により製造された動圧軸受装置を備え、また本発明の請求項１２にかかるディスク駆動装置は、請求項１１におけるモータと、そのモータのロータに搭載された情報記録ディスクと、その情報記録ディスクに対して情報を記録または再生する記録ヘッドとを含むことから、上述した動圧軸受装置およびその製造方法と同様な作用が得られる。
【発明の効果】
【００１５】
以上説明したように、本発明にかかる動圧軸受装置およびその製造方法ならびにモータおよびディスク駆動装置は、プラズマ照射を動圧軸受部材の適宜の一箇所に行うことによって動圧軸受部材の各表面に付着した有機汚染物質が良好に清浄化し、毛細管シール部を構成している内壁面の清浄性を維持し、清浄化したプラズマ処理表面からなるシール外表面に対する撥油膜の密着性を高め、さらに清浄化したプラズマ処理表面からなる動圧軸受部材の接合面に対して接着剤を極めて良好に充填するように構成したものであるから、動圧軸受装置にとって重要な３箇所の品質を容易かつ確実に確保することができ、動圧軸受装置の信頼性を低コストで大幅に高めることができる。
【発明を実施するための最良の形態】
【００１６】
以下、本発明の実施の形態を図面に基づいて詳細に説明することとするが、それに先立って、まず本発明を適用する動圧軸受装置を備えたハードディスク駆動装置（ＨＤＤ）用のスピンドルモータの概略構造を説明しておく。
【００１７】
本発明は、図１、図３および図４に示されているような軸回転型の動圧軸受装置を備えたアウターロータ型のスピンドルモータ、ならびに図２に示されているような軸固定型の動圧軸受装置を備えたアウターロータ型のスピンドルモータのいずれに対しても適用することができるものであるが、まず図１にかかるスピンドルモータの概略構造を説明することとし、それ以外のモータ構造については主として相違する点の構成について説明することとする。
【００１８】
すなわち、図１に示されている第１の実施形態にかかる軸回転／アウターロータ型のＨＤＤ用スピンドルモータの全体は、固定側部としてのステータ組１０と、そのステータ組１０に対して図示上側から組み付けられた回転側部としてのロータ組２０とから構成されている。
【００１９】
このうちステータ組１０は、図示を省略した磁気ディスク装置の装置本体プレートにネジ止めされるベースフレーム１１を有しており、そのベースフレーム１１の略中央部分に形成された筒状のスリーブ保持部１２の内周側には、略中空円筒状に形成された動圧軸受部材として軸受スリーブ１３の外周側における接合面１３ａが、圧入接着や隙間嵌め接着によって一体的に接合されている。軸受スリーブ１３は、ステンレス（ＳＵＳ）材から構成されているが、加工を容易化する場合にはリン青銅などの銅系材料から構成され、中心部分には軸方向両端に開口部を有する軸受中心孔が貫通形成されている。
【００２０】
また、上述したスリーブ保持部１２の外周面には、ステータコア１４の中心リング部１４ａが軸方向に挿通されるようにして固定されているとともに、その中心リング部１４ａから放射状に突出する複数の各突極部１４ｂにはステータコイル１４ｃが巻装されている。
【００２１】
さらに、上記軸受スリーブ１３の軸受中心孔の内部には、前述したロータ組２０の一部を構成する軸部材としての回転軸２１が回転自在に挿入されている。本実施形態における回転軸２１はステンレス（ＳＵＳ）材から形成されている。そして、前記軸受スリーブ１３の内周面に形成された動圧面と、上記回転軸２１の外周面に形成された動圧面とは、半径方向に微少隙間を介して半径方向に面対向するように配置されており、その微少隙間からなる軸受空間によってラジアル動圧軸受部ＲＢが構成されている。そのラジアル動圧軸受部ＲＢの軸受空間は、約数μｍのラジアルギャップから構成されており、そのラジアルギャップからなる軸受空間内に、例えばエステル系、あるいはポリαオレフィン系の潤滑性オイル等の潤滑流体が注入され充填されている。
【００２２】
さらに、上記軸受スリーブ１３および回転軸２１の両動圧面の少なくとも一方側には、図示を省略した例えばヘリングボーン形状のラジアル動圧発生用溝が、軸方向に２ブロックに分かれて凹設されており、回転軸２１の回転駆動時に、当該ラジアル動圧発生用溝のポンピング作用により潤滑流体が加圧されて動圧を生じ、その動圧力によって上記回転軸２１が軸受スリーブ１３側からラジアル方向に浮上して非接触状態となり、当該回転軸２１に固着された回転ハブ体２２とともに回転支持されるようになっている。
【００２３】
また、上記各ラジアル動圧軸受部ＲＢを構成している軸受空間の図示上端側には、潤滑流体他の外部漏れを防止する毛細管シール部ＲＳが設けられている。この毛細管シール部ＲＳは、上述した軸受スリーブ１３の開口部分に形成されたテーパ状の内周壁面と、前記回転軸２１の外周壁面との対向隙間により形成されたものであって、例えば２０μｍないし３００μｍの隙間を形成するように軸受外方（図示上方）側に向かって隙間を連続的に拡大した形状になされている。この毛細管シール部ＲＳの内部には、モータの回転・停止のいずれの場合においても潤滑流体の気液界面が位置するように潤滑流体の注入量が設定されている。
【００２４】
さらに、上記軸受スリーブ１３の図示上端面、すなわち上述した毛細管シール部ＲＳの開口部から半径方向外方側に向かって延在するシール外表面ＲＳ１上には、潤滑流体の濡れ拡散を防止するための撥油膜が、適宜の撥油処理が施されることによって薄膜状をなすように被着されている。
【００２５】
一方、前記回転軸２１とともにロータ組２０を構成している回転ハブ体２２は、磁気ディスク等の記録媒体を搭載するため略カップ状のアルミ部材などから形成されており、当該回転ハブ体２２の中心部に設けられた接合穴内に、上述した回転軸２１の図示上端部分が圧入や焼き嵌めあるいは接着等の各種機械的固定手段により固定されている。
【００２６】
上記回転ハブ体２２は、その外周部にロータ部を構成するための環状胴部２２ａを有しており、その環状胴部２２ａにおける図示下端側の開口部分の内周面には、周方向に一定間隔でＮＳ交互に着磁が施された円筒状のロータマグネット２２ｂがバックヨーク２２ｃを介して装着固定されてロータ部が構成されている。このロータマグネット２２ｂは、前述したステータコア部１４の突極部１４ｂの外端面に対して環状に対向するように近接配置されている。なお、上記回転ハブ体２２を磁性の鉄系金属などで形成した場合には、上述したバックヨーク２２ｃは不要となる。
【００２７】
一方、上記回転軸２１の図示下端側の先端部分には、リング状部材からなるスラストプレート２３が固着されている。このスラストプレート２３は、前記軸受スリーブ１３の図示下端側における中心部分に凹設された収納部１３ｂ内に回転自在に配置されており、その軸受スリーブ１３の収納部１３ｂ内において、上記スラストプレート２３の図示上側の表面に設けられた動圧面と、前記軸受スリーブ１３の収納部１３ｂの内壁面に設けられた動圧面とが軸方向に対向するように配置されている。そして、それらスラストプレート２３および軸受スリーブ１３の両動圧面どうしの間に形成される軸受空間によって第１のスラスト軸受部ＳＢａが形成されている。
【００２８】
さらに、上記スラストプレート２３の図示下側の動圧面に対面するようにして略円板状の部材からなるカウンタープレート１６が、前記軸受スリーブ１３における図示下端側の開口部を閉塞するように密着して取り付けられている。そして、そのスラストプレート２３の図示下側の動圧面と、前記カウンタープレート１６の図示上面側の動圧面との間に形成される軸受空間によって第２のスラスト動圧軸受部ＳＢｂが形成されている。
【００２９】
これら第１および第２のスラスト動圧軸受部ＳＢａ，ＳＢｂにおける軸受空間は、それぞれ数μｍから十数μｍの微少間隔を形成可能とするように形成されており、それらの微少間隔からなる軸受空間内に、上述したラジアル軸受部ＲＢ内から連続する潤滑流体が、前記スラストプレート２３の外周側に形成された連通路を介して軸方向に連続した状態に注入され充填されている。
【００３０】
本実施形態においては、前記スラストプレート２３の図示上下面に相当する動圧面に、既に公知のヘリングボーン形状等からなるスラスト動圧発生用溝が環状に並列するように凹設されており、回転駆動時に、当該スラスト動圧発生用溝のポンピング作用によって潤滑流体が加圧されて動圧を生じ、その潤滑流体の動圧力によって、上述した回転軸２１が軸方向に浮上して非接触状体となり、上述した回転ハブ体２２とともにスラスト方向に回転支持されるようになっている。なお、このときのスラスト動圧発生用溝は、第１のスラスト軸受部ＳＢａにおける軸受スリーブ１３側の動圧面、および第２のスラスト軸受部ＳＢｂにおけるカウンタープレート１６側の動圧面に形成してもよい。
【００３１】
ここで、前述した動圧軸受部材としての軸受スリーブ１３の表面には、適宜のプラズマ処理が施されている。プラズマ処理は、プラズマ発生装置で、酸素、窒素、アルゴンなどのプラズマを発生させ、そのプラズマ熱によって瞬間的に有機汚染物質の除去を行い、表面に対してクリーン度の高い洗浄を可能とするものであるが、上述した軸受スリーブ１３の表面における適宜の一箇所に対してプラズマを照射する処理工程を実行することによって、軸受スリーブ１３の外表面の全体にプラズマが回り込むようにして必要箇所に対する洗浄が行われるようになっている。
【００３２】
本実施形態では、特に従来技術の欄で説明した動圧軸受装置の品質を確保する上において最も重要な３つの要素ａ），ｂ），ｃ）に関係している表面、すなわち、毛細管シール部ＲＳの内壁面、毛細管シール部ＲＳの開口部から半径方向外方側に向かって延在しているシール外表面（撥油処理表面）ＲＳ１、および当該軸受スリーブ１３におけるスリーブ保持部１２との接合面１３ａの各々を、プラズマ処理表面（プラズマ洗浄表面）とすることによって、極めて清浄度の高い表面を効率的に得ている。
【００３３】
そして、このようなプラズマ処理表面（プラズマ洗浄表面）になされた後の軸受スリーブ１３のシール外表面ＲＳ１に対して撥油処理が施され、また軸受スリーブ１３をスリーブ保持部１２に挿通した後に、その接合面１３ａであるプラズマ処理表面（プラズマ洗浄表面）に対して接着剤が注入されている。
【００３４】
このように本発明の第１の実施形態では、プラズマ照射を軸受スリーブ１３の適宜の一箇所に行うことによって、プラズマが必要な箇所に回り込んでいき、特に軸受スリーブ１３の各表面に付着した有機汚染物質が良好に清浄化されることとなり、毛細管シール部ＲＳの内壁面の清浄性が維持されるとともに、清浄化された軸受スリーブ１３のシール外表面ＲＳ１に対して撥油膜が汚染物質を介在することなく良好に密着され、さらに清浄化された軸受スリーブ１３の接合面１３ａに対して汚染物をほとんど介在することなく接着剤が極めて良好に充填されるようになっている。
【００３５】
特に、この第１の実施形態では、プラズマ処理表面が金属（ＳＵＳ）製の軸受スリーブ１３に対するプラズマ洗浄表面となってることから、軸受スリーブ１３の表面に対する清浄性が良好に確保される。
【００３６】
一方、上述した軸受スリーブ１３が樹脂材から形成されていて、プラズマ処理表面が樹脂製である場合には、プラズマ処理を施すことによってプラズマ凹凸表面が形成されることとなる。そのようなプラズマ凹凸表面を形成しておけば、軸受スリーブ１３の表面における撥油剤や接着剤に対するアンカー作用が高められることとなり、それらの密着性が大幅に向上される。
【００３７】
このとき、樹脂の種類やプラズマの種類、更には処理時間によって凹凸の大きさは異なる。例えば酸素プラズマでは、樹脂の有機結合がプラズマ照射により切断され、酸素を含んだ官能基が表面に形成され、分子レベルの細かな凹凸が形成され、極めて接着性に優れた活性な表面状態が得られる。またアルゴンガスによるプラズマ処理処理では分子レベルより大きな凹凸面が形成され、アンカー作用を高めることができる。
【００３８】
次に、図２に示されている第２の実施形態は、ハードディスク駆動装置（ＨＤＤ）に用いられる軸固定型の動圧軸受装置を備えたアウターロータ型のスピンドルモータに本発明を適用したものであるが、上述した実施形態と共通した説明はなるべく省略し、相違する部位についての説明を主に行うこととする。
【００３９】
図２に示されているように、ステータ組３０のベースフレーム３１の略中央部分には、ステンレス（ＳＵＳ）材等からなる固定軸３２の根本部分が、圧入や焼き嵌め等などの締まり嵌め状態で挿通されて固定されているとともに、その固定軸３２からやや離れた周囲には、上記ベースフレーム３１の図示上側の表面から軸方向に所定量だけ突出したリング状部材からなるステータホルダー３３が前記固定軸３２の周囲を環状に取り囲むように設けられている。
【００４０】
上記ステータホルダー３３の外周面には、電磁鋼板等の積層体からなるステータコア３４の内径リング部３４ａが圧入や焼き嵌め等などの締まり嵌めによって挿通され固定されているとともに、そのステータコア３４の内径リング部３４ａからは複数本の突極部３４ｂが外方に向かって放射状に突出するように設けられていて、それらの各突極部３４ｂに対してステータコイル３４ｃが巻回されている。
【００４１】
一方、上述した固定軸３２の図示上方側突出部分には、回転部材としてのロータ組４０の軸受スリーブ（動圧軸受部材）４１が回転自在に装着されている。この軸受スリーブ４１の中心位置に貫通形成された軸受用中心孔の内周面には動圧面が軸方向に離して２箇所形成されており、それらの両動圧面が、上述した固定軸３２の外周面に設けられた２箇所の動圧面に対して外周側から近接した面対向の配置関係になされている。そして、それらの互いに面対向する両動圧面どうしの間の微小隙間によって、ラジアル動圧軸受部ＲＢ，ＲＢを形成する軸受空間がそれぞれ形成されている。
【００４２】
これら２箇所のラジアル動圧軸受部ＲＢ，ＲＢを含む軸受空間内の全体に潤滑流体が連続的に注入され充填されていて、上述した軸受スリーブ４１および固定軸３２における両動圧面の少なくとも一方側に設けられた、例えばヘリングボーン形状の凹溝構造を有する動圧発生手段のポンピング作用によって上述した潤滑流体が加圧されて動圧力を生じ、その潤滑流体の動圧力によって軸受スリーブ４１側が固定軸３２側からラジアル方向に相対的に浮上して非接触状態にて保持される。そして、それによって軸受スリーブ４１、およびその軸受スリーブ４１の外周側の接合面４１ａに固着された後述の回転ハブ体４２がラジアル方向に回転自在に支持されるようになっている。
【００４３】
また、上記各ラジアル動圧軸受部ＲＢを構成している軸受空間の図示下端側には、上記軸受スリーブ４１の開口部分に形成されたテーパ状の内周壁面により形成された毛細管シール部ＲＳが設けられているとともに、その毛細管シール部ＲＳの開口部から半径方向外方側に向かって延在するように上記軸受スリーブ４１の図示下端面に形成されたシール外表面ＲＳ１上には、潤滑流体の濡れ拡散を防止するための撥油膜が、適宜の撥油処理が施されることによって薄膜状をなすように被着されている。
【００４４】
さらに、上述した固定軸３２の図示上端部分には、スラストプレート３５が圧入などにより固着されていて、そのスラストプレート３５の軸受外方側（図示上方側）に、前記軸受スリーブ４１の上端開口部を密閉するように取り付けられたカウンタープレート４３が軸方向に対向するように配置されている。そして、そのスラストプレート３５の軸方向両端面に設けられた動圧面と、カウンタープレート４３および軸受スリーブ４１の軸方向対向面に設けられた動圧面との間に、微小隙間からなる２箇所の軸受空間がそれぞれ形成され、その２箇所の軸受空間によって第１および第２のスラスト動圧軸受部ＳＢａ，ＳＢｂがそれぞれ形成されている。
【００４５】
これらのスラスト動圧軸受部ＳＢａ，ＳＢｂは、回転駆動時において約数μｍのギャップからなる軸受空間を形成するように構成されていて、上述したラジアル動圧軸受部ＲＢから連続するようにして軸受空間内の全体に同様な潤滑流体が連続的に充填されている。そして、同様なヘリングボーン形状等を有する動圧発生手段のポンピング作用によって潤滑流体が加圧されて動圧力を生じ、その潤滑流体の動圧力によって軸受スリーブ４１側が固定軸３２側からスラスト方向に相対的に浮上して非接触状態にて保持されることとなり、それによって軸受スリーブ４１、およびその軸受スリーブ４１に固着された回転ハブ体４２がスラスト方向に回転自在に支持されるようになっている。
【００４６】
このような第２の実施形態においても、前述した動圧軸受部材としての軸受スリーブ４１の外表面における一箇所に対して適宜のプラズマ処理が施されており、前述した重要な品質３つの要素に関係している少なくとも、毛細管シール部ＲＳの内壁面、毛細管シール部ＲＳの開口部から半径方向外方側に向かって延在するシール外表面（撥油処理表面）ＲＳ１、および当該軸受スリーブ４１における前記回転ハブ体４２との接合面４１ａを、それぞれプラズマ処理表面（プラズマ洗浄表面）としている。
【００４７】
そして、このようなプラズマ処理表面（プラズマ洗浄表面）になされた後の軸受スリーブ４１のシール外表面に対して撥油処理が施され、また軸受スリーブ４１に回転ハブ体４２に挿通した後におけるプラズマ処理表面（プラズマ洗浄表面）としての接合面４１ａに対して接着剤が用いられている。
【００４８】
このような構成を有する第２の実施形態においても、プラズマ照射を軸受スリーブ４１の適宜の一箇所に行うことによって、プラズマが必要な箇所に回り込んでいき、特に軸受スリーブ４１の各表面に付着した有機汚染物質が良好に清浄化され、毛細管シール部ＲＳの内壁面の清浄性が維持されるとともに、清浄化された軸受スリーブ４１のシール外表面ＲＳ１に対して撥油膜が汚染物質を介在することなく良好に密着され、さらに清浄化された軸受スリーブ４１の接合面４１ａに対して汚染物をほとんど介在することなく接着剤が極めて良好に充填されるようになっている。
【００４９】
さらに、図３に示されている第３の実施形態は、図１のものと同様なハードディスク駆動装置（ＨＤＤ）に用いられる軸回転型の動圧軸受装置を備えたアウターロータ型のスピンドルモータであるが、ステータ組５０を構成しているベースフレーム５１に形成された筒状のスリーブ保持部５２の内周側に、略コップ状をなすように形成された動圧軸受部材としての軸受ハウジング５５の接合面５５ａが固着されており、その軸受ハウジング５５の内周壁面に対して軸受スリーブ５３が装着されている。そして、上記軸受ハウジング５５の図示上端側開口部を貫通するロータ組６０の回転軸６１と半径方向に対向するように配置された上記軸受ハウジング５５側の開口内周面にはテーバ状シール面が形成されており、そのテーバ状シール面によって毛細管シール部ＲＳが形成されて潤滑流体の外部漏れが防止されるようになっている。
【００５０】
このような第３の実施形態においては、上述した軸受ハウジング５５の外表面の一箇所に対して適宜のプラズマ処理が施されており、前述した重要な品質三要素に関係している少なくとも、毛細管シール部ＲＳの内壁面、毛細管シール部ＲＳの開口部から半径方向外方側に向かって延在する軸受ハウジング５５のシール外表面（撥油処理表面）ＲＳ１、および当該軸受ハウジング５５における前記ベースフレーム５１との接合面５５ａを、それぞれプラズマ処理表面（プラズマ洗浄表面）としている。
【００５１】
そして、このようなプラズマ処理表面（プラズマ洗浄表面）になされた後の軸受ハウジング５５のシール外表面に対して撥油処理が施され、また上記ベースフレーム５１に軸受ハウジング５５を挿通した後におけるプラズマ処理表面（プラズマ洗浄表面）としての接合面５５ａに対して接着剤が用いられることによって、上述した実施形態と同様な作用・効果が得られるようになっている。
【００５２】
一方、図４に示されている第４の実施形態も、図１のものと同様、ハードディスク駆動装置（ＨＤＤ）に用いられる軸回転型の動圧軸受装置を備えたアウターロータ型のスピンドルモータに本発明を適用したものであり、ステータ組７０を構成しているベースフレーム７１に形成された筒状のスリーブ保持部７２の内周側に対して軸受スリーブ７３の外周側の接合面７３ａが圧入接着等によって固着されている。
【００５３】
上記軸受スリーブ７３の軸受中心孔内には、ロータ組８０の一部を構成する軸部材としての回転軸８１が回転自在に挿入されていて、前記軸受スリーブ７３の内周面に形成された動圧面と、上記回転軸８１の外周面に形成された動圧面との間の微少隙間からなる軸受空間によって２箇所のラジアル動圧軸受部ＲＢ，ＲＢが構成されている。また、上記軸受スリーブ７３の図示下端側に設けられた開口部は、軸受カバー７３ｂによって密閉状に閉塞されており、上述した各ラジアル動圧軸受部ＲＢ内の潤滑流体が外部に漏出しない構成になされている。
【００５４】
また、上記回転軸８１の図示上端部分には回転ハブ体８２が固着されているが、その回転ハブ体８２の中心側領域にスラスト動圧軸受部ＳＢが形成されている。このスラスト動圧軸受部ＳＢは、上記回転ハブ体８２の内面側に設けられた動圧面と、上述した軸受スリーブ７３の図示上端面に形成された動圧面とが、軸方向に面対向されることによって形成されており、前述したラジアル動圧軸受部ＲＢから連続するようにして潤滑流体がスラスト動圧軸受部ＳＢの軸受空間内に充填されている。
【００５５】
そして、ヘリングボーン形状のスラスト動圧発生用溝等からなる動圧発生手段が、上記回転ハブ体８２側の動圧面および軸受スリーブ７３側の動圧面の少なくとも一方側に設けられており、回転駆動時に、当該動圧発生手段のポンピング作用によって潤滑流体が加圧されて動圧を生じ、その潤滑流体の動圧力によって、上述した回転ハブ体８２が軸方向に浮上して非接触状態となりスラスト方向に回転支持されるようになっている。
【００５６】
さらに、本実施形態における毛細管シール部ＲＳは、前記軸受スリーブ７３における接合面７３ａから図示上方に向かって延出している外周壁面７３ｂと、その軸受スリーブ７３の外周壁面７３ｂに対して半径方向に対向するように上記回転ハブ体８２に接合された抜け止め部材７４の内周壁面との間のテーパ状隙間に画成されていて、前述したスラスト動圧軸受部ＳＢを含む軸方向のスラスト対向領域に対して半径方向外方側から連設されるように設けられている。上記抜け止め部材７４は、上述した回転ハブ体８２側に対する接合面７４ａから図示下方側に突出するリング状部材から形成されていて、上述したスラスト動圧軸受部ＳＢ内の潤滑流体が毛細管シール部ＲＳに至るまで連続的に充填されている。
【００５７】
上記毛細管シール部ＲＳの図示下方側への開口部分であって、当該毛細管シール部ＲＳの開口部の半径方向内方側部分には、前記軸受スリーブ７３の外周壁面７３ｂにシール用円周溝７３ｃが凹接されており、そのシール用円周溝７３ｃの溝内壁面からなるシール表面に対して、上述した実施形態と同様な撥油処理が施されている。また、その毛細管シール部ＲＳの開口部から半径方向外方側に向かって延在する抜け止め部材７４のシール外表面ＲＳ１に対しても、上述した実施形態と同様な撥油処理が施されている。
【００５８】
一方、上記軸受スリーブ７３の図示上端部分には、半径方向外方側に張り出すようにして鍔部７３ｂが設けられており、その鍔部７３ｂの一部が、上述した抜け止め部材２４の一部に対して軸方向に対向するように配置されている。そして、これらの両部材７３ｂ，７４によって、前記回転ハブ体８２が軸方向に抜け出すことを防止する構成になされている。
【００５９】
このような第４の実施形態においては、上述した軸受スリーブ７３および抜け止め部材７４の表面の各一箇所に対して適宜のプラズマ処理が施されており、動圧軸受装置における重要な品質３要素に関係している少なくとも、毛細管シール部ＲＳの内壁面、毛細管シール部ＲＳの開口部から半径方向外方側に向かって延在する抜け止め部材７４のシール外表面（撥油処理表面）ＲＳ１、同じく毛細管シール部ＲＳの開口部の半径方向内方側に配置されたシール用円周溝７３ｃの溝内壁面からなるシール外表面（撥油処理表面）、軸受スリーブ７３における前記ベースフレーム７１との接合面７３ａ、および抜け止め部材７４における前記回転ハブ体８２との接合面７４ａを、それぞれプラズマ処理表面（プラズマ洗浄表面）としている。
【００６０】
そして、このようなプラズマ処理表面（プラズマ洗浄表面）になされた後の抜け止め部材７４のシール外表面ＲＳ１、および軸受スリーブ７３のシール用円周溝７３ｃにおけるシール外表面に対して撥油処理が施され、また上記ベースフレーム７１に軸受スリーブ７３を挿通した後におけるプラズマ処理表面（プラズマ洗浄表面）としての接合面７３ａ、および回転ハブ体８２に抜け止め部材７４を挿通した後におけるプラズマ処理表面（プラズマ洗浄表面）としての接合面７４ａに対して、それぞれ接着剤が用いられることによって、上述した各実施形態と同様な作用・効果が得られるようになっている。
【００６１】
一方、前述した各実施形態におけるハードディスク駆動装置（ＨＤＤ）用スピンドルモータは、例えば図５に示されているようなハードディスク駆動装置（ＨＤＤ）の内部に装着されて使用されて、同様な作用・効果が得られる。
【００６２】
すなわち、同図に示されているように、上述した各実施形態にかかるスピンドルモータＭは、密閉状のハウジング１００を構成している本体プレート１００ａに固定されることによって使用され、そのスピンドルモータＭ含むハウジング１００の内部空間は、前記本体プレート１００ａに嵌合する密閉蓋１００ｂによって清浄空間１００ｃに形成されている。前記スピンドルモータＭのロータハブ（図１中の符号２２参照）には、ハードディスク等の情報記録ディスク１０１が搭載されているとともに、前記回転ハブに対して螺子１０２により固着されたクランプ１０３によって、前記情報記録ディスク１０１が不動状態に保持される。
【００６３】
以上、本発明者によってなされた発明を実施形態に基づいて具体的に説明したが、本発明は上記実施形態に限定されるものではなく、その要旨を逸脱しない範囲で種々変形可能であるというのは言うまでもない。
【００６４】
例えば、上述した各実施形態は、ハードディスク駆動装置（ＨＤＤ）に対して本発明を適用したものであるが、本発明はそれに限定されるものではなく、他の多種多様な装置に用いられるディスク装置、その他の各種モータに対しても同様に適用することができるものである。
【産業上の利用可能性】
【００６５】
以上述べた本発明は、各種モータを始めとして多種多様な回転駆動装置に用いられる動圧軸受装置に対して広く採用することが可能である。
【図面の簡単な説明】
【００６６】
【図１】本発明の第１の実施形態にかかる動圧軸受装置を備えた軸回転型のＨＤＤ用スピンドルモータの概要を表した縦断面説明図である。
【図２】本発明の第２の実施形態にかかる動圧軸受装置を備えた軸固定型のＨＤＤ用スピンドルモータの概要を表した縦断面説明図である。
【図３】本発明の第３の実施形態にかかる動圧軸受装置を備えた軸回転型のＨＤＤ用スピンドルモータの概要を表した縦断面説明図である。
【図４】本発明の第４の実施形態にかかる動圧軸受装置を備えた軸回転型のＨＤＤ用スピンドルモータの概要を表した縦断面説明図である。
【図５】本発明にかかるスピンドルモータを使用したディスク駆動装置の概略構造例を表した縦断面説明図である。
【図６】毛細管シール部における潤滑流体の湾曲気液界面による接触状態を表した部分拡大縦断面説明図である。
【符号の説明】
【００６７】
１１  ベースフレーム
１２  スリーブ保持部
１３  軸受スリーブ（動圧軸受部材）
１３ａ  接合面
１６  カウンタープレート
２１  回転軸（軸部材）
２２  回転ハブ体
２３  スラストプレート
ＲＢ  ラジアル動圧軸受部
ＲＳ  毛細管シール部
ＲＳ１  シール外表面
ＳＢａ，ＳＢｂ  スラスト軸受部
３２  固定軸（軸部材）
３５  スラストプレート
４１  軸受スリーブ（動圧軸受部材）
４１ａ  接合面
４２  回転ハブ体
４３  カウンタープレート
５３  軸受スリーブ（動圧軸受部材）
５５  軸受ハウジング（動圧軸受部材）
５５ａ  接合面
６１  回転軸（軸部材）
７３  軸受スリーブ（動圧軸受部材）
７３ａ  接合面
７３ｂ  スリーブ外周壁面
７３ｃ  シール用円周溝（シール外表面）
７４  抜け止め部材
７４ａ  接合面
８１  回転軸（軸部材）
８２  回転ハブ体
ＤＦ  潤滑流体
Ｍ  スピンドルモータ
１００  ハウジング
１０１  情報記録ディスク
【図１】
2005344785.tif 000003
【図２】
2005344785.tif 000004
【図３】
2005344785.tif 000005
【図４】
2005344785.tif 000006
【図５】
2005344785.tif 000007
【図６】
2005344785.tif 000008